(57)【要約】【課題】鋸板体を背金体から取り外したり、鋸板体を背金体の差入間隙に差し入れるに際し、締付ボルトの締付回動又は緩め回動により鋸板体を挟圧固定又は離反解除することができ、鋸板体の取り替えを容易に行うことができる。【解決手段】鋸柄体１に逆Ｕ状に折曲して対向する折曲片の間に鋸板体を差入可能な差入間隙Ｈを形成した背金体２を設け、鋸板体３に開口溝部４を形成し、折曲片間に開口溝部に係合可能な締付ボルト５を挿通配置し、締付ボルトに螺着可能なナット部材６を設けてなり、締付ボルトと背金体との間に締付ボルトの緩み回動を阻止可能なラチェット機構９を設けてなる。【選択図】図１
2008207289.tif 000002
【特許請求の範囲】
【請求項１】
鋸柄体に逆Ｕ状に折曲して対向する折曲片の間に鋸板体を差入可能な差入間隙を形成した背金体を設け、該鋸板体に開口溝部を形成し、該折曲片間に該開口溝部に係合可能な締付ボルトを挿通配置し、該締付ボルトに螺着可能なナット部材を設けてなり、上記締付ボルトと上記背金体との間に上記締付ボルトの緩み回動を阻止可能なラチェット機構を設けてなることを特徴とする替刃式鋸。
【請求項２】
上記ラチェット機構として、上記締付ボルトに複数個のラチェット歯部を設け、上記背金体に複数個のラチェット歯部に係脱可能な先端爪部をもつラチェット爪体を揺動自在に設け、該ラチェット爪体を退避位置から係合位置に揺動させ、該先端爪部と該ラチェット歯部とを係合させるバネ部材を設けてなることを特徴とする請求項１記載の替刃式鋸。
【請求項３】
上記締付ボルトは上記折曲片の外面に対向する頭部、上記開口溝部に係合可能な係合軸部及び上記ナット部材に螺着可能なネジ軸部からなることを特徴とする請求項１又は２記載の替刃式鋸。
【請求項４】
上記締付ボルトのネジ軸部を上記係合軸部より径小に形成し、上記開口溝部を上記ネジ軸部に嵌合可能な幅狭溝部及び上記係合軸部に嵌合可能な略半円弧状の嵌合溝部により形成してなることを特徴とする請求項１〜３のいずれか１項に記載の替刃式鋸。
【請求項５】
上記ナット部材と上記折曲片との対向面に互いに係合可能な凹部及び凸部からなる回り止め部を設けてなることを特徴とする請求項１〜４のいずれか１項に記載の替刃式鋸。
【請求項６】
上記締付ボルトの頭部と上記折曲片との対向面間に歯付き座金を設け、該折曲片の対向面に該歯付き座金の外周凹部に係合可能な止め凸部を形成してなることを特徴とする請求項１〜５のいずれか１項に記載の替刃式鋸。
【発明の詳細な説明】
【技術分野】
【０００１】
本発明は例えば切れ味の低下した鋸板体を取り替え可能な替刃式鋸に関するものである。
【背景技術】
【０００２】
従来、この種の替刃式鋸として、鋸柄体に逆Ｕ状に折曲して対向する折曲片の間に鋸板体を差入可能な差入間隙を形成した背金体を設け、該鋸板体に開口溝部を形成し、該折曲片間に該開口溝部に係合可能な締付ボルトを挿通配置し、該締付ボルトに螺着可能なナット部材を設けてなる構造のものが知られている。
【特許文献１】特開２００６−２４７７８４
【発明の開示】
【発明が解決しようとする課題】
【０００３】
しかしながらこれら従来構造の場合、上記鋸板体は上記締付ボルトをナット部材に螺着することにより対向する背金体の折曲片で挟着して固定する構造となっているため、たとえ、この締付ボルトを強固に締め付けたとしても、鋸作業に伴う外力等により締付ボルトが緩むことがあり、このため、上記差入間隙が広がって鋸板体ががたついいて作業に支障を来すことがあるというという不都合を有している。
【課題を解決するための手段】
【０００４】
本発明はこれらの不都合を解決することを目的とするもので、本発明のうちで、請求項１記載の発明は、鋸柄体に逆Ｕ状に折曲して対向する折曲片の間に鋸板体を差入可能な差入間隙を形成した背金体を設け、該鋸板体に開口溝部を形成し、該折曲片間に該開口溝部に係合可能な締付ボルトを挿通配置し、該締付ボルトに螺着可能なナット部材を設けてなり、上記締付ボルトと上記背金体との間に上記締付ボルトの緩み回動を阻止可能なラチェット機構を設けてなることを特徴とする替刃式鋸にある。
【０００５】
又、請求項２記載の発明は、上記ラチェット機構として、上記締付ボルトに複数個のラチェット歯部を設け、上記背金体に複数個のラチェット歯部に係脱可能な先端爪部をもつラチェット爪体を揺動自在に設け、該ラチェット爪体を退避位置から係合位置に揺動させ、該先端爪部と該ラチェット歯部とを係合させるバネ部材を設けてなることを特徴とするものであり、又、請求項３記載の発明にあっては、上記締付ボルトは上記折曲片の外面に対向する頭部、上記開口溝部に係合可能な係合軸部及び上記ナット部材に螺着可能なネジ軸部からなることを特徴とするものであり、又、請求項４記載の発明は、上記締付ボルトのネジ軸部を上記係合軸部より径小に形成し、上記開口溝部を上記ネジ軸部に嵌合可能な幅狭溝部及び上記係合軸部に嵌合可能な略半円弧状の嵌合溝部により形成してなることを特徴とするものである。
【０００６】
又、請求項５記載の発明は、上記ナット部材と上記折曲片との対向面に互いに係合可能な凹部及び凸部からなる回り止め部を設けてなることを特徴とするものであり、又、請求項６記載の発明は、上記締付ボルトの頭部と上記折曲片との対向面間に歯付き座金を設け、該折曲片の対向面に該歯付き座金の外周凹部に係合可能な止め凸部を形成してなることを特徴とするものである。
【発明の効果】
【０００７】
本発明は上述の如く、請求項１記載の発明にあっては、上記鋸板体を背金体から取り外したり、鋸板体を背金体の差入間隙に差し入れるに際し、締付ボルトの締付回動又は緩め回動により鋸板体を挟圧固定又は離反解除することができ、鋸板体の取り替えを容易に行うことができ、この際、上記締付ボルトと上記背金体との間に上記締付ボルトの緩み回動を阻止可能なラチェット機構を設けてなるから、鋸作業に伴う外力等によって、締付ボルトが緩もうとしても、上記ラチェット機構の存在により、締付ボルトの緩み回動を阻止することができ、鋸板体のがたつきや離脱を防ぐことができ、鋸作業を円滑に行うことができると共に安全性を高めることができる。
【０００８】
又、請求項２記載の発明にあっては、上記ラチェット機構として、上記締付ボルトに複数個のラチェット歯部を設け、上記背金体に複数個のラチェット歯部に係脱可能な先端爪部をもつラチェット爪体を揺動自在に設け、ラチェット爪体を退避位置から係合位置に揺動させ、先端爪部とラチェット歯部とを係合させるバネ部材を設けてなるから、ラチェット機構の構造を簡素化することができ、又、請求項３記載の発明にあっては、上記締付ボルトは上記折曲片の外面に対向する頭部、上記開口溝部に係合可能な係合軸部及び上記ナット部材に螺着可能なネジ軸部からなるので、背金体に対する鋸板体の着脱取り替えを容易に行うことができると共に確実に取り付けることができ、又、請求項４記載の発明にあっては、上記締付ボルトのネジ軸部を上記係合軸部より径小に形成し、上記開口溝部を上記ネジ軸部に嵌合可能な幅狭溝部及び上記係合軸部に嵌合可能な略半円弧状の嵌合溝部により形成してなるから、鋸板体の取り替え及び鋸板体の折り畳み回動を容易に行うことができる。
【０００９】
又、請求項５記載の発明にあっては、上記ナット部材と上記折曲片との対向面に互いに係合可能な凹部及び凸部からなる回り止め部を設けてなるから、締付ボルトの回動に伴うナット部材の連れ回りを確実に防ぐことができ、それだけ、締付ボルトの締付回動及び緩め回動を確実に行うことができ、又、請求項６記載の発明にあっては、上記締付ボルトの頭部と上記折曲片との対向面間に歯付き座金を設け、折曲片の対向面に歯付き座金の外周凹部に係合可能な止め凸部を形成してなるから、締付ボルトの緩み回動を一層良好に防ぐことができる。
【発明を実施するための最良の形態】
【００１０】
図１乃至図１１は本発明の実施の形態例を示し、１は鋸柄体、２は背金体であって、鋸柄体１は合成樹脂又は木材より製作され、この鋸柄体１に鋸板体３を収納可能な収納凹溝部１ａが形成され、この鋸柄体１に金属製の背金体２が取り付けられ、この背金体２は逆Ｕ状に折曲して対向する両折曲片２ａ・２ｂにそれぞれ円形状の凹部Ｋ・Ｋを没入形成して凹部Ｋ・Ｋ位置の両折曲片２ａ・２ｂの間に鋸板体３を差入可能な差入間隙Ｈを形成し、鋸板体３に開口溝部４を切欠形成している。
【００１１】
この場合、鋸板体３は金属製にして、基部に上記開口溝部４を形成し、その鋸身部３ａの一方の辺縁に複数個の山形状の鋸刃部３ｂが形成されてなる。
【００１２】
５は締付ボルト、６はナット部材であって、この締付ボルト５は上記開口溝部４に係合可能にして折曲片２ａ・２ｂ間に挿通配置され、ナット部材６は締付ボルトに螺着可能に形成され、この場合、図５、図８の如く、締付ボルト５は上記折曲片２ａの外面に対向する頭部５ａ、上記開口溝部４に係合可能な係合軸部５ｂ及び上記ナット部材６に螺着可能なネジ軸部５ｃからなり、上記締付ボルト５のネジ軸部５ｃは上記係合軸部５ｂより径小に形成され、かつ、図４、図６の如く、上記開口溝部４は上記ネジ軸部５ｃに嵌合可能な幅狭溝部４ａ及び上記係合軸部５ｂに嵌合可能な略半円弧状の嵌合溝部４ｂにより形成されている。
【００１３】
この場合、図５、図６の如く、上記ナット部材６の内面に四個の凹部７ａを形成し、上記折曲片２ｂに凹部７ａに係合可能な四個の凸部７ｂを形成してナット部材６と折曲片２ｂとの対向面に互いに係合可能な凹部７ａ及び凸部７ｂからなるナット部材６の回り止めをなす回り止め部７を設けて構成している。尚、この回り止め部７に代えて、又は、加えて、ナット部材６を折曲片２ｂに接着剤により接着固定することもある。
【００１４】
又、この場合、図５、図６上記締付ボルト５の頭部５ａと上記折曲片２ａとの対向面間に歯付き座金８を介装して設け、折曲片２ａの対向面に歯付き座金８の外周に形成されている複数個の外周凹部８ａに係合可能な三個の止め凸部２ｃを形成して構成している。
【００１５】
９はラチェット機構であって、上記締付ボルト５と上記背金体２との間に設けられ、この場合、図３、図５、図９の如く、上記締付ボルト５の頭部５ａ外周面に複数個のラチェット歯部９ａ・９ａ・・を設け、上記背金体２に操作片９ｂをスプリングピンたる枢軸９ｃにより揺動自在に枢着し、この操作片９ｂに複数個のラチェット歯部９ａ・９ａ・・に係脱可能な先端爪部９ｄをもつラチェット爪体９ｅを突設し、操作片９ｂの上面に操作部９ｆを固定し、操作片９ｂの前部に係合片９ｇを形成し、鋸板体３の基部上部に係合片９ｇに係脱可能な二個の係止溝３ｃ・３ｃを形成し、かつ、ラチェット爪体９ｅを退避位置Ａから係合位置Ｂに揺動させて先端爪部９ｄといずれかのラチェット歯部９ａとを係合させると共に上記係合片９ｇといずれかの係止溝３ｃとを係止可能なバネ部材９ｈを操作片９ｃと背金体２との間に介装して構成している。
【００１６】
この実施の形態例は上記構成であるから、図７、図９の如く、上記操作部９ｆをバネ部材９ｈに抗して指で押圧して枢軸９ｃを中心として操作片９ｂ及びラチェット爪体９ｅを係合位置Ｂから退避位置Ｂに退避揺動させ、この退避揺動により係合片９ｇと係止溝３ｃ及び先端爪部９ｄとラチェット歯部９ａの係合を解除し、この解除状態において、締付ボルト５を緩め回動し、図８の如く、締付ボルト５の弛緩状態において、図７の如く、鋸板体３の基部を背金体２の折曲片２ａ・２ｂ間の差入間隙Ｈに差し入れると共に開口溝部４の幅狭溝部４ａを締付ボルト５のネジ軸部５ｃに差し入れ、操作部９ｆから指を釈放してバネ部材９ｈにより上記係合片９ｇを係止溝３ｃに係止すると共にラチェット爪体９ｅの先端爪部９ｄをラチェット歯部９ａに係合し、図４、図５の如く、締付ボルト５を締付回動することにより開口溝部４の嵌合溝部４ｂと締付ボルト５の係合軸部５ｂとが嵌合すると共に背金体２の対向する折曲片２ａ・２ｂ間の差入間隙Ｈが狭められて鋸板体３の基部が挟着固定されることになり、この締付回動時において、図９の如く、上記ラチェット機構９のラチェット爪体９ｅは締付ボルト５の頭部５ａに形成された複数個のラチェット歯部９ａ・９ａ・・を先端爪部９ｄが順次乗り越え動作して複数回揺動動作し、鋸板体３の基部が背金体２に挟着固定されて締付ボルト５の締付回動が完了し、この締付回動完了後において、図３の如く、鋸作業時等により締付ボルト５が緩み回動しようとすると、ラチェット爪体９ｅの先端爪部９ｄがラチェット歯部９ａに係止していることにより締付ボルト５の緩み回動が阻止されることになる。
【００１７】
また、鋸板体３の取替時においては、図７、図９の如く、操作部９ｆをバネ部材９ｈに抗して指で押圧して枢軸９ｃを中心として操作片９ｂ及びラチェット爪体９ｅを係合位置Ｂから退避位置Ｂに退避揺動させ、この退避揺動により係合片９ｇと係止溝３ｃ及び先端爪部９ｄとラチェット歯部９ａの係合を解除し、この解除状態において、締付ボルト５を緩め回動し、この締付ボルト５の弛緩状態において、鋸板体３の基部を背金体２の折曲片２ａ・２ｂ間の差入間隙Ｈから抜き取って新たな鋸板体３に取り替えることになり、又、不使用時等においては、図７、図９の如く、上記操作部９ｆをバネ部材９ｈに抗して指で押圧して枢軸９ｃを中心として操作片９ｂ及びラチェット爪体９ｅを係合位置Ｂから退避位置Ｂに退避揺動させ、この退避揺動により係合片９ｇと係止溝３ｃ及び先端爪部９ｄとラチェット歯部９ａの係合を解除し、この解除状態において、締付ボルト５を若干緩め回動し、この締付ボルト５の弛緩状態において、図１０の如く、鋸板体３を締付ボルト５の係合軸部５ｂを中心として折り畳み回動し、鋸板体３を鋸柄体１の収納凹溝部１ａに収納することになる。
【００１８】
又、図１１の如く、係合片９ｇと他の係止溝３ｃとを係合させることにより鋸柄体１に対する鋸板体３の相対的突出角度を変更することができるように構成している。
【００１９】
従って、上記鋸板体３を背金体２から取り外したり、鋸板体３を背金体２の差入間隙Ｈに差し入れるに際し、締付ボルト５の締付回動又は緩め回動により鋸板体３を挟圧固定又は離反解除することができ、鋸板体３の取り替えを容易に行うことができ、この際、上記締付ボルト５と上記背金体２との間に上記締付ボルト５の緩み回動を阻止可能なラチェット機構９を設けてなるから、鋸作業に伴う外力等によって、締付ボルト５が緩もうとしても、上記ラチェット機構９の存在により、締付ボルト５の緩み回動を阻止することができ、鋸板体３のがたつきや離脱を防ぐことができ、鋸作業を円滑に行うことができると共に安全性を高めることができる。
【００２０】
この場合、上記ラチェット機構９として、上記締付ボルト５に複数個のラチェット歯部９ａを設け、上記背金体２に複数個のラチェット歯部９ａに係脱可能な先端爪部９ｄをもつラチェット爪体９ｅを揺動自在に設け、ラチェット爪体９ｅを退避位置Ａから係合位置Ｂに揺動させ、先端爪部９ｄとラチェット歯部９ａとを係合させるバネ部材９ｈを設けてなるから、ラチェット機構９の構造を簡素化することができ、又、この場合、上記締付ボルト５は上記折曲片２ａ・２ｂの外面に対向する頭部５ａ、上記開口溝部４に係合可能な係合軸部５ｂ及び上記ナット部材６に螺着可能なネジ軸部５ｃからなるので、背金体２に対する鋸板体３の着脱取り替えを容易に行うことができると共に確実に取り付けることができ、又、この場合、上記締付ボルト５のネジ軸部５ｃを上記係合軸部５ｂより径小に形成し、上記開口溝部４を上記ネジ軸部５ｃに嵌合可能な幅狭溝部４ｂ及び上記係合軸部５ｂに嵌合可能な略半円弧状の嵌合溝部４ｂにより形成してなるから、鋸板体３の取り替え及び鋸板体３の折り畳み回動を容易に行うことができる。
【００２１】
又、この場合、上記ナット部材６と上記折曲片２ａ・２ｂとの対向面に互いに係合可能な凹部７ａ及び凸部７ｂからなる回り止め部７を設けてなるから、締付ボルト５の回動に伴うナット部材６の連れ回りを確実に防ぐことができ、それだけ、締付ボルト５の締付回動及び緩め回動を確実に行うことができ、又、この場合、上記締付ボルト５の頭部５ａと上記折曲片２ａ・２ｂとの対向面間に歯付き座金８を設け、折曲片２ａ・２ｂの対向面に歯付き座金８の外周凹部８ａに係合可能な止め凸部２ｃを形成してなるから、締付ボルト５の緩み回動を一層良好に防ぐことができる。
【００２２】
尚、本発明は上記実施の形態例に限られるものではなく、鋸柄体１、背金体２、鋸板体３、開口部４、締付ボルト５、ナット部材６の構造や形態等は適宜設計して変更される。
【００２３】
以上、所期の目的を充分達成することができる。
【図面の簡単な説明】
【００２４】
【図１】本発明の実施の形態例の全体斜視図である。
【図２】本発明の実施の形態例の全体側面図である。
【図３】本発明の実施の形態例の部分側面図である。
【図４】本発明の実施の形態例の部分側断面図である。
【図５】本発明の実施の形態例の部分縦断面図である。
【図６】本発明の実施の形態例の分解斜視図である。
【図７】本発明の実施の形態例の部分側断面図である。
【図８】本発明の実施の形態例の部分縦断面図である。
【図９】本発明の実施の形態例の部分側面図である。
【図１０】本発明の実施の形態例の全体側面図である。
【図１１】本発明の実施の形態例の全体斜視図である。
【符号の説明】
【００２５】
Ｈ    差込間隙
１    鋸柄体
２    背金体
２ａ    両折曲片
２ｂ    両折曲片
２ｃ    止め凸部
３    鋸板体
４    開口溝部
４ａ    幅狭溝部
４ｂ    嵌合溝部
５    締付ボルト
５ａ    頭部
５ｂ    係合軸部
５ｃ    ネジ軸部
６    ナット部材
７    回り止め部
７ａ    凹部
７ｂ    凹部
８    歯付き座金
８ａ    外周凹部
９    ラチェット部
９ａ    ラチェット部
９ｄ    先端爪部
９ｅ    ラチェット爪体
９ｈ    バネ部材
【図１】
2008207289.tif 000003
【図２】
2008207289.tif 000004
【図３】
2008207289.tif 000005
【図４】
2008207289.tif 000006
【図５】
2008207289.tif 000007
【図６】
2008207289.tif 000008
【図７】
2008207289.tif 000009
【図８】
2008207289.tif 000010
【図９】
2008207289.tif 000011
【図１０】
2008207289.tif 000012
【図１１】
2008207289.tif 000013